(57)【要約】【課題】  引っ張り方向に対して垂直な方向からの回転力により、螺合するボルトの出し入れが可能なターンバックルを提供する。【解決手段】  中空部を有する筒型状に形成され、軸方向に対向する２面にボルト挿入孔を有し、回転軸を前記軸方向に一致させたウォームホイール１１をその中央に形成したウォームホイール付きターンバックル本体１０と、ウォームホイール１１と噛み合うように配置され、外部からの回転力を伝達するための孔部を回転軸方向に形成したウォームギア１２と、ウォームギア１２の回転によってウォームホイール１１が駆動されるように、双方の適切な配置を保持するためのハウジング３０と、で構成される。【選択図】図１
2009174694.tif 000002
【特許請求の範囲】
【請求項１】
中空部を有する筒型状に形成され、軸方向に対向する２面にボルト挿入孔を有し、回転軸を前記軸方向に一致させたウォームホイールをその中央に形成したウォームホイール付きターンバックル本体と、
前記ウォームホイールと噛み合うように配置され、外部からの回転力を伝達するための孔部を回転軸方向に形成したウォームギアと、
前記ウォームギアの回転によって前記ウォームホイールが駆動されるように、双方の適切な配置を保持するためのハウジングと、で構成されることを特徴とするターンバックル。
【発明の詳細な説明】
【技術分野】
【０００１】  本発明は、引っ張り方向に対して垂直な方向からの回転力により、螺合するボルトの出し入れが可能なターンバックルに関する。
【背景技術】
【０００２】  ターンバックルは、家庭用フェンスに使用する小型のものから、建物やつり橋などの構造要素に使用する大型のものまで、あらゆる用途に幅広く使用されている。そのため、形状や機能、更には張力の調整方法に至るまで様々な提案や改良が行われている。【０００３】  そのなかには、ターンバックル本体を縦方向に分割した形状にして両端部にボルトを螺じ込む手間を省略できるターンバックル（例えば、特許文献１参照）や、ターンバックル本体内に弾性体を配して張力や螺合するボルトの伸縮長さの調整を柔軟に行えるターンバックル（例えば、特許文献２参照）などがある。【０００４】  また、ターンバックルは、両端に右ネジおよび左（逆）ネジがそれぞれ形成された本体を回転させることにより螺合するボルトの出し入れを行うのであるが、この本体を容易に回転させるための回転補助具（例えば、特許文献３参照）なども提案されている。【０００５】  しかしながら、従来のターンバックルは、例えば、上記のターンバックル本体を回転する例のように、引っ張り方向と回転軸とが一致するような回転力によってのみ螺合するボルトの出し入れ調整が行えるものであった。つまり、引っ張り方向に対して直角な方向から回転力を伝達して螺合するボルトの出し入れを行うことは従来のターンバックルでは不可能であった。【０００６】  ターンバックルが使用される環境は、ターンバックル本体を回転させやすい状況ばかりではなく、例えば、手や補助具が入らないような狭いスペースで使用されるケースもある。そのような場合には、引っ張り方向に対して直角な方向からの回転力により、螺合するボルトの出し入れが行えることが好ましい。【０００７】
【特許文献１】  特開２００７−２５５６１６号公報  第２頁〜第４頁  図２
【特許文献２】  特開２００７−９６２９号公報  第４頁〜第６頁  図１
【特許文献３】  特開平５−１７７５５９号公報  第２頁〜第５頁  図１
【発明の開示】
【発明が解決しようとする課題】
【０００８】  そこで本発明は上記従来の課題に鑑みてなされたものであって、引っ張り方向に対して垂直な方向からの回転力により、螺合するボルトの出し入れが可能なターンバックルを提供することを目的とするものである。
【課題を解決するための手段】
【０００９】  本発明のターンバックルは、中空部を有する筒型状に形成され、軸方向に対向する２面にボルト挿入孔を有し、回転軸を前記軸方向に一致させたウォームホイールをその中央に形成したウォームホイール付きターンバックル本体と、前記ウォームホイールと噛み合うように配置され、外部からの回転力を伝達するための孔部を回転軸方向に形成したウォームギアと、前記ウォームギアの回転によって前記ウォームホイールが駆動されるように、双方の適切な配置を保持するためのハウジングと、で構成されることを特徴とする。【００１０】  上記構成によれば、引っ張り方向に対して垂直な方向からの回転力により、螺合するボルトの出し入れを行うことができる。
【発明の効果】
【００１１】  以上のように、本発明のターンバックルによれば、引っ張り方向に対して垂直な方向からの回転力により、螺合するボルトの出し入れを行うことができ、それに伴って張力や長さの調整等を行うこともできる。
【発明を実施するための最良の形態】
【００１２】  以下、本発明の実施の形態におけるターンバックルについて図面を用いて詳細に説明する。【００１３】  図１は、本発明の実施の形態におけるターンバックルの外観を示す斜視図である。また、図２は、本発明の実施の形態におけるターンバックルの構成部品およびその配置の状況を示す分解図である。ターンバックル１００は、主に、後述するウォームホイール１１をその中央に固定したウォームホイール付きターンバックル本体１０、ボルト２０、ケーシング３０などで構成される。【００１４】  ウォームホイール付きターンバックル本体１０は、パイプの内面に両端からそれぞれ右ネジおよび左ネジ（逆ネジ）のネジ山を形成したパイプであって、中央にウォームホイール１１を固定している。ウォームホイール１１に対向する位置にウォームギア１２が配置されており、ウォームギア１２の回転によりウォームホイール１１が駆動し、直交するパイプが回転する。【００１５】  末端にアイまたはフックを形成したボルト２０ａおよび２０ｂは、ウォームホイール付きターンバックル本体１０に螺合されており、本体の回転によりターンバックル全体の長さが伸縮する。【００１６】  また、ケーシング３０は、上記のウォームホイール付きターンバックル本体１０とウォームギア１２の配置を固定するもので、ケーシング３０ａおよび３０ｂが、リベット３１ａ、３１ｂにより固着されている。【００１７】  尚、ウォームギア１２の一端には回転軸方向に六角形の孔部が形成されているので、適合する六角レンチ４０を挿入して回すことによりウォームギア１２、ウォームホイール付きターンバックル本体１０の回転を通じて、螺合するボルト２０ａおよび２０ｂを出し入れすることができる。【００１８】  ウォームギア・ウォームホイールは減速比が比較的大きいのでウォームギアの回転によりボルトの出し入れ長さの微妙な調整を行うことができる。尚、減速比はウォームホイールの径を変化させることで調整できる。【００１９】  以上のように、本発明のターンバックルによれば、引っ張り方向に対して垂直な方向からの回転力を用いて、螺合するボルトの伸縮を調整することがができる。
【産業上の利用可能性】
【００２０】  本発明にかかるターンバックルは、引っ張り方向に対して垂直な方向から、螺合するボルトの出し入れ調整が容易に行えるという効果を有し、特に、螺合するボルトの出し入れの微妙な長さ調整を要する用途のターンバックルにおいて有用である。
【図面の簡単な説明】
【００２１】
【図１】  本発明の実施の形態におけるターンバックルの外観を示す斜視図
【図２】  本発明の実施の形態におけるターンバックルの構成部品およびその配置の状況を示す分解図
【符号の説明】
【００２２】  １０  ウォームホイール付きターンバックル本体
１１  ウォームホイール
１２  ウォームギア
２０  ボルト
３０  ケーシング
３１  リベット
１００  ターンバックル
【図１】
2009174694.tif 000003
【図２】
2009174694.tif 000004